(57)【特許請求の範囲】
【請求項１】
放射線治療において投与線量を定量化しうるシステムにおいて、
患者の治療計画に従って、放射線治療装置を使用して放射される物理ファントム内の放射線の測定値を取得し、
前記物理ファントムと放射線源との間に配置された情報手段によって、物理ファントムへの放射に関する情報を収集し、前記物理ファントムへの放射に関する前記情報と、前記物理ファントム内の放射線の前記測定値とが時間間隔に分割され、
各時間間隔における前記物理ファントム内の放射線の測定値と、前記物理ファントムと前記放射線源との間の前記情報手段で収集された前記放射に関する情報との間の関係に関する情報であって、患者の治療の確認のために使用される情報を得るために前記放射に関する前記情報と、前記物理ファントム内の放射線の前記測定値とを分析する、
ように構成されたことを特徴とする投与線量を定量化しうるシステム。
【請求項２】
前記情報手段が前記放射線源の放射ビームを成形するように配置されたマルチリーフコリメータのリーフの位置を含むことを特徴とする請求項１に記載のシステム。
【請求項３】
前記物理ファントム内の放射線の測定と、マルチリーフコリメータのリーフの位置検出とが同時に実行されるようにされた請求項２に記載のシステム。
【請求項４】
前記情報手段が検出器ＥｘｔＤｅｔからなることを特徴とする請求項１に記載のシステム。
【請求項５】
前記物理ファントム内の放射線の測定と検出器ＥｘｔＤｅｔによる測定とが同時に実行されるように構成されたことを特徴とする請求項４に記載のシステム。
【請求項６】
情報手段からの前記放射に関する情報の読み取り値と、前記物理ファントム内の放射光線に沿った放射線の測定値との比として前記の得られた関係情報から較正係数を計算するように構成されたことを特徴とする請求項２から５までのいずれか１項に記載のシステム。
【請求項７】
前記物理ファントム内の放射線の測定値と前記物理ファントムと前記放射線源との間の前記情報手段からの放射に関する情報との双方について各々の特定の時間間隔に対するデータを記憶するように構成されたことを特徴とする請求項１から６までのいずれか１項に記載のシステム。
【請求項８】
前記較正係数が、
【数１】
0005567058.tif 000007
によって計算されるように構成され、但し、
Ｄseg-n,f,p,t(i),t(i+1)：  検出器ＥｘｔＤｅｔ要素ｎと、時間ｔ（ｉ）から時間ｔ（ｉ＋１）までの作用領域（投影）の総和ｆとによって画定されるファントムセグメントにおける点ｐでの線量
Ｓn,f,t(i),t(i+1)：  時間ｔ（ｉ）から時間ｔ（ｉ＋１）までの作用領域の総和ｆにおけるＥｘｔＤｅｔ検出器の要素ｎからの信号
Ｃａｌn,f,seg-n,f,p,t(i),t(i+1)：  作用領域ｆにおいて検出器ＥｘｔＤｅｔの要素に使用される較正係数で、検出器ＥｘｔＤｅｔ要素ｎと、時間ｔ（ｉ）から時間ｔ（ｉ＋１）までの作用領域（投影）の総和ｆとによって画定されたファントムセグメントにおける点ｐでの線量を達成するために時間ｔ（ｉ）から時間ｔ（ｉ＋１）までの信号の総和を変換すること、
であることを特徴とする請求項４または５に従属する、請求項６に記載のシステム。
【請求項９】
検出器ＥｘｔＤｅｔが前記物理ファントムの表面に位置されることを特徴とする請求項４から８までのいずれか１項に記載のシステム。
【請求項１０】
前記検出器ＥｘｔＤｅｔが前記放射線源と前記物理ファントムの表面との間に位置されていることを特徴とする請求項４から８までのいずれか１項に記載のシステム。
【請求項１１】
前記較正係数が
【数２】
0005567058.tif 000008
によって計算されるように構成され、但し
Ｄf,p,t(i),t(i+1)：  時間ｔ（ｉ）から時間ｔ（ｉ＋１）までの作用領域（投影）の総和ｆにおけるファントムの点ｐでの線量
Ｆn,f,t(i),t(i+1)：  時間ｔ（ｉ）から時間ｔ（ｉ＋１）までのファントムの総和において点ｐと交錯する光線に沿った、ファントムと放射線源との間の作用領域ｆにおける放射線の流束量
Ｃａｌn,f,p,t(i),t(i+1)：  患者と放射線源との間の流束量とファントムにおける線量との間の関係を表わす較正係数
であることを特徴とする請求項２または３に従属する、請求項６に記載のシステム。
【請求項１２】
前記物理ファントムの放射の間に患者特定の治療計画を使用し、前記物理ファントムでの測定された線量を治療計画と比較して該物理ファントムの放射精度を確認するように構成されたことを特徴とする請求項１から１１までのいずれか１項に記載のシステム。
【請求項１３】
前記物理ファントムの下流側の結像装置からの像を利用して、検出器ＥｘｔＤｅｔに対して十分画定された検出器ＥｘｔＤｅｔあるいはマーカの投影を使用し、横方向平面における検出器ＥｘｔＤｅｔの位置を検出するように構成されたことを特徴とする請求項４に記載のシステム。
【発明の詳細な説明】
【技術分野】
【０００１】
本発明は、患者に対する投与線量の精度を確認するために、患者の放射線治療の間に放射線治療装置に使用する検出器を較正する方法に関するものである。
【背景技術】
【０００２】
放射線治療は１９００年初頭から人体における癌治療のために使用されてきた。癌腫瘍を放射線治療することは効率的であることは知られているものの、多くの癌による死亡率は長い間事実上変らないままである。このことの主要な理由は初期の癌腫瘍あるいは癌転移の発生を制御できないことであった。局部的な制御を改善するだけでも治療をより効果的にしうる。最近、放射線治療法における治療計画システム、すなわちＴＰＳ（Ｔｒｅａｔｍｅｎｔ  Ｐｌａｎｎｉｎｇ  Ｓｙｓｔｅｍｓ）が広く開発され、今では特定の患者の解剖学的形状（ａｎａｔｏｍｙ）を考慮し、時間的に効率的な方法で個々の患者の各々に対してより最適化された治療、目標に対する均質な放射線投与、そして危険な器官に対しては最小の投与を計画することができる。
【０００３】
このような最適化された治療を提供する治療技術は、各々の作用領域（ｆｉｅｌｄ）は強度が横方向に調整される必要があり、そのため患者の異質性（ｈｅｔｅｒｏｇｅｎｅｉｔｙ）と外形とを補正する必要があるとの理由から、従来の治療法よりも複雑である。この技術はＩＭＲＴ−強度調整した放射線治療法（Ｉｎｔｅｎｓｉｔｙ  Ｍｏｄｕｌａｔｅｄ  Ｒａｄｉａｔｉｏｎ  Ｔｈｅｒａｐｙ）と称されている。投与は、補正装置（ｃｏｍｐｅｎｓａｔｏｒｓ）や、一次フォトンビームの減衰により作用領域の各部分における所定のレベルまで強度を下げるフィルタを使用して実行することができる。しかしながら、各々の作用領域が個々の補正装置を必要とする、数個（４−８個）の作用領域を使用する場合には、この技術は時間がかかり、かつ多大な労力を必要とする。更に、ビームの減衰によってもまた、ビームにおけるスペクトル分布の望ましくない変化をもたらし、そのことによって全体のプロセスを複雑にする。従って、ＩＭＲＴの作用領域に投与するための最も一般的な方法は、作用領域の小さい部分を遮断することによって、ビームを横方向に諸々の不規則な形状に形成するように個別に位置させることができる薄いブロック（すなわちリーフ＝Ｌｅａｆｓ）から構成されている装置であるＭＬＣ（マルチ・リーフ・コリメータ＝Ｍｕｌｔｉ  Ｌｅａｆ  Ｃｏｌｌｉｍａｔｏｒ）を使用することである。治療の間、前記リーフを動かすことによって、治療される容積の各部分が諸々の時間の間に照射され、それによって治療される領域に対する強度が調整される。
【０００４】
しかしながら、この新規な治療技術は、達成するのは必ずしも容易ではないが、患者が予測される位置に正確に位置していることを前提とする。さらに、正確な線量投与に対する要件が増し、そのため治療機械の品質管理（ＱＣ）に対する、そして計画プロセスおよび最終的に治療の間の計画プロセスに対する要件が増す。新規な確認方法とＱＣとが使用される必要がある。しかしながら、治療の間の体内線量計測法（Ｉｎ  Ｖｉｖｏ  ｄｏｓｉｍｅｔｒｙ）による測定について発表されたものは極めて少ない。
【０００５】
患者の体内での線量を予測するために患者の皮膚に検出器を当てて測定する従来の体内線量計測法は、例えば蓄積領域（ビームが患者の５−３５ミリメートルの深さまで進入した部分）である、外部で発生した二次電子が投与線量に顕著に作用する患者の領域における線量の分布を予測するＴＰＳ（治療計画システム）の限度により固定された作用領域（従来の治療法）に対して極めて依存している。そのために、患者の体表すなわち皮膚での線量、あるいは患者の上流空中での線量（ｔｈｅ  ｄｏｓｅ  ｉｎ  ａｉｒ  ｕｐ−ｓｔｒｅａｍｓ）のいずれも固定された作用領域においてはＴＰＳによって正確に予測することはできず、動的に投与される治療では困難さが増す。固定された作用領域においては、これは特殊設計の検出器を使用すること、あるいは一般的な較正により、あるいはこれら二つの方法を組み合わせることによって解決される。ＩＭＲＴ治療においては、作用領域における強度の変動は患者特有のものであるという事実のため、一般的な較正あるいは特殊設計のいずれかによってこの問題に対処するのはそんなに容易ではない。従来の体内線量計測法は通常各画分（ｆｒａｃｔｉｏｎ）において使用されず、そのため特殊設計の検出器の不安も無視しうる程度となる。ＩＭＲＴ治療における余裕が小さいため、不確実さを最小とするために各画分における拡張した線量計測法および品質管理を必要とし、従って従来の治療で使用される検出器での不安が著しくなる。更に、ＩＭＲＴを使用する場合、作用領域における形状を確認するために多くの点において測定する必要があり、検出器の横位置が極めて重要である。この問題を単純化するために、空気中での流束量（ｆｌｕｅｎｃｅ）を単に測定することが提案された。しかしながら、そうすれば、了解しうる定量性が欠如するために予測された値からの食い違いの判定が困難となる。
【０００６】
従来の体内線量測定法の代案として、患者の下流側に位置した結像装置、すなわちフィルムあるいは線量を測定するために当該装置が較正されるＥＰＩＤ（電子ポータル結像装置：Ｅｌｅｃｔｒｏｎｉｃ  Ｐｏｒｔａｌ  ｉｍａｇｉｎｇ  Ｄｅｖｉｃｅ）を使用することが提案された。そのような方法は、１９９８年発行の医療物理学（Ｍｅｄｉｃａｌ  Ｐｈｙｓｉｃｓ）２５（６）の８３０−８４０ページにある、ケイ・アイ・パズマ他（Ｋ．Ｉ．Ｐａｓｍａ  ｅｔ  ａｌ）による「放射線治療法Ｉにおける線量測定法による治療の確認のためのポータル線量結像予測およびオープンビームのためのアルゴリズム」（Ｐｏｒｔａｌ  ｄｏｓｅ  ｉｍａｇｅ  ｐｒｅｄｉｃｔｉｏｎ  ｆｏｒ  ｄｏｓｉｍｅｔｒｉｃ  ｔｒｅａｔｍｅｎｔ  ｖｅｒｉｆｉｃａｔｉｏｎ  ｉｎ  ｒａｄｉｏｔｈｅｒａｐｙ  Ｉ：ａｎｄ  ａｌｇｏｒｉｔｈｍ  ｆｏｒ  ｏｐｅｎ  ｂｅａｍ）という論文に記載されている。次に、測定装置の位置における、例えばＴＰＳ（治療計画システム）を使用して計算された線量分布と比較することができる。このことの一例が１９９８年発行の「放射線治療法および腫瘍学」（Ｒａｄｉｏｔｈｅｒａｐｙ  ａｎｄ  Ｏｎｃｏｌｏｇｙ）の４９（２）、１２５−１３２ページにある、エム・クローンウィック他（Ｍ．Ｋｒｏｏｎｗｉｊｋ  ｅｔ  ａｌ．）による「電子ポータル結像装置を使用した、前立腺がん患者のための生体内線量計測法、内部器官運動の論証」（Ｉｎ  Ｖｉｖｏ  ｄｏｓｉｍｅｔｒｙ  ｆｏｒ  ｐｒｏｓｔａｔｅ  ｃａｎｃｅｒ  ｐａｔｉｅｎｔｓ  ｕｓｉｎｇ  ａｎ  ｅｌｅｃｔｒｏｎｉｃ  ｐｏｒｔａｌ  ｉｍａｇｉｎｇ  ｄｅｖｉｃｅ；ｄｅｍｏｎｓｔｒａｔｉｏｎ  ｏｆ  ｉｎｔｅｒｎａｌ  ｏｒｇａｎ  ｍｏｔｉｏｎ）という論文に記載されている。別の代案はＥＰＩＤにおける測定された線量の分布から患者における線量分布を計算することである。これは、ＭＤＳノーディオン社（ＭＤＳ  Ｎｏｒｄｉｏｎ）によって組織されている、２００１年３月１３日に刊行された「ワークショップ  イン  アップサラ（Ｗｏｒｋｓｈｏｐ  ｉｎ  Ｕｐｐｓａｌａ）」におけるシー・ヴァルハーゲン・ダールグレン他（Ｃ．Ｖａｌｌｈａｇｅｎ  Ｄａｈｌｇｒｅｎ  ｅｔ  ａｌ）による「折り畳みコーンカーナル重ねによるＥＰＩＤに対する線量分布のモデル化」（Ｍｏｄｅｌｌｉｎｇ  ｔｈｅ  ｄｏｓｅ  ｄｉｓｔｒｉｂｕｔｉｏｎ  ｔｏ  ａｎ  ＥＰＩＤ  ｗｉｔｈ  ｃｏｌｌａｐｓｅｄ  ｃｏｎｅ  ｋｅｒｎｅｌ  ｓｕｐｅｒｐｏｓｉｔｉｏｎ）という論文に記載されている。
【０００７】
後者は、より理解が容易であるデータを提供するという利点を有している。しかしながら、患者の下流側でのみ測定することは患者の上流での測定と組み合わされたものよりも精度は劣り、そのため偏差は治療機械による投与線量が不正確なためか、患者の解剖学的形状の位置決めエラーか、あるいは変動（患者が元の診断結果から体重等が減ったことなど）によるものか区別ができない。後者は偏差の根（ｒｏｏｔ）を分析し、それによって次の治療画分において偏差が発生しないようにするために少なからず重要である（通常、患者は治療が完了するまでに３０治療画分の治療を受ける）。
【発明の概要】
【発明が解決しようとする課題】
【０００８】
本発明の目的は患者に対する放射線治療の間の線量確認を患者の位置確認から分離することと、線量確認を実行する方法を提供することである。従って、本発明は治療の間に高度の品質と、信頼できる線量測定を達成するために、（治療の間に）生体で使用される検出器を時間的に効率的で、正確な方法で較正する方法である。
【課題を解決するための手段】
【０００９】
本発明の目的は特許請求の範囲の請求項１に記載の方法によって達成される。本発明の好適な実施例は特許請求の範囲の従属項に記載されている。
【００１０】
本発明の一局面によると、本発明は、ファントム（ｐｈａｎｔｏｍ）を照射する段階と、前記ファントムにおいて測定する段階と、患者と照射源との間にある検出器（ＥｘｔＤｅｔ）によって測定する段階とを含み、前記測定値が時間の間隔に分割され、ファントムにおける測定値間の関係および各時間間隔における患者と放射治療源との間の関係に関する情報を取得するために前記測定値を分析する段階を含み、その情報が患者の治療に使用可能であることを特徴とする。
【００１１】
本発明によれば、前記測定値間の関係は色々な方法で利用することができる。
【００１２】
検出器による測定値および前記ファントムにおける測定値は特定の時間間隔において記憶されるので、測定値の間の比例性が取得され、基準流束量を画定することができる。このことによって検出器のための較正係数を計算することが可能とされ、それが患者のその後の生体測定による治療に使用される。
【００１３】
そのような生体測定からの読み取り値は較正係数を適用した後ファントム内の線量をあたかもそれが適所にあったが如く予測する。それによって線量分布における偏差の定量化を使用して、その偏差が許容可能か否か判定することができる。殆どの場合、このような投与線量の確認は十分であり、オフラインの確認（ｏｆｆ−ｌｉｎｅ  ｖｅｒｉｆｉｃａｔｉｏｎ）と類似の結果を提供する。
【００１４】
次に、ＥＰＩＤを使用して従来の方法で、患者の位置の確認を実行することが可能で、あるいは（像誘導放射線治療（ｉｍａｇｅ  ｇｕｉｄｅｄ  ｒａｄｉｏ  ｔｈｅｒａｐｙ）と称される）治療ビームからの投影において、例えば診断Ｘ線源および透過検出器を使用するその他の方法を使用することができる。診断Ｘ線源を使用することは、当該技術分野において周知のように、像コントラストを、従って位置精度を大きく改善するという利点を有する。
【００１５】
代替的な方法は、全ての時間間隔に対する総和値をファントムにおける測定総和値と比較することによってＥｘｔＤｅｔに対する各時間間隔の基準値が得られる流束量を確認することである。ＥＰＩＤ像からの、あるいは治療計画システムへの入力としての後方投影との組み合わせによって患者の定量的な線量データを提供することができる。
【００１６】
投与線量および（または）患者の位置についての主要な偏差を認識した後、第二の段階はこれら二つを組み合わせ、従って腫瘍、危険器官などに対する線量を更に正確に検査するために患者における線量の分布を予測できることである。１個の画分からのこのデータ、あるいは数個の画分に対する累積データを使用して残りの治療画分に対する治療計画を修正し、従って先行した偏差を補正することができる。そのような適応性の治療技術は必要に応じ、各画分の後で更新することができる。
【００１７】
患者の上流側での検出器、すなわちＥｘｔＤｅｔによって流束量を測定するための別の代替的な方法は入力として、ＭＬＣ位置についてのいずれかの情報を使用して流束量を計算し、次いで前述した方法を使用して前記流束量を較正する、例えば事前治療認識の間ファントムにおいて測定された線量に対して各時間間隔の流束量を較正することである。ファントムにおける線量のそのような検出は、ＥｘｔＤｅｔの使用と比較して精度および確認において限度があるが、あたかも適所にあったかの如くファントムにおける線量として治療の間に偏差の定量化を可能とするので、依然として極めて有用である。
【図面の簡単な説明】
【００１８】
【図１】図１（ａ）は、検出器を備えた、ファントムが配置されている治療機械を概略的に示す。図１（ｂ）は、ファントムの代わりに人体が配置されている、図１（ａ）に示す配置を概略的に示す。
【図２】図２（ａ）は、２Ｄ検出器が治療機械とファントムとの間に配置されている、図１（ａ）に示す機械を概略的に示す。図２（ｂ）は、ファントムの代わりに人体が配置されている、図２（ａ）に示す配置を概略的に示す。
【図３】照射ビームの概略図である。
【図４】治療計画のオフライン確認を示す。
【００１９】
本発明のこれらおよびその他の局面並びに利点については、以下の詳細説明および添付図面から明らかとなる。
【００２０】
以下の詳細説明においては、添付図面を参照する。
【発明を実施するための形態】
【００２１】
放射線によって腫瘍を治療するために利用される放射線治療装置が図１−図２に概略的に示され、全体的に参照数字１０で示されている。本装置は、放射線治療ヘッドから電子あるいはフォトンのビーム１２を放射することができる放射線治療システムからなる。放射線治療システムは、身体の病気に冒されていない領域は遮断し、ビームを腫瘍に集中させるためにビームの横方向の形状を変更しうるようにする、例えばＭＬＣのような従来の作用領域成形装置（ｆｉｅｌｄ  ｓｈａｐｉｎｇ  ｄｅｖｉｃｅ）（図示せず）を備えている。放射線治療システムに対しては制御装置（図示せず）が設けられている。
【００２２】
患者２０が横臥するためにテーブル２２が配置されている。患者の治療すべき領域をビームの領域に位置させるために、前記テーブルは垂直軸線の周りを回転可能であり、かつ水平方向および垂直方向に移動可能である。更に、本発明による方法では放射線治療装置から放射された放射線を測定する種々の検出器を利用している。前記検出器は、例えば半導体検出器、ガス検知器、シンチレータ検出器などのような、体表／皮膚１４での測定のためのリアルタイムの検出器を含んでもよい。検出装置は、散乱放射線によっての影響され易さを低減するために薄型とするか、あるいは盛り上がり部（ｂｕｉｌｄ−ｕｐ）を含んでもよい。前記検出器はまた、全体面積に亘ってｇ／ｃｍ２の単位で測定して均一な厚さとされることによってカプセル化（ｅｎｃａｐｓｕｌａｔｉｏｎ）における種々の密度および典型的なビーム形態（ｂｅａｍ  ｍｏｄａｌｉｔｙ）における検出器自体を斟酌して構成してもよい。
【００２３】
検出器はまた、例えばフィルムあるいはＥＰＩＤのような結像装置のような、放射線源とファントム／患者との間の測定のための検出器でもよい。前記検出器は適当な信号処理手段（図示せず）に接続される。前述した詳細は当該技術分野の専門家には周知のことであるので、以下詳細には説明しない。
【００２４】
本発明による方法は、患者と放射線源との間で放射線ビームに位置された検出器（以下ＥｘｔＤｅｔと称する）による所定の時間間隔における測定を利用し、その読み取り値を、検出器による測定値とファントムにおける測定値との間の比例性を使用してファントムにおける対応する測定値に変換することによって、特に患者の患者特定の治療（以下生体（Ｉｎ  Ｖｉｖｏ）治療法と称する）の間での放射線治療での投与線量を定量化できるように前述の装置を利用することを目的とする。
【００２５】
本発明による方法は更に、好ましくはＥｘｔＤｅｔのための較正係数を取得することを指向する。前記の較正係数は、図３に示すファントム３６における画定されたセグメントでの点毎に各ＥｘｔＤｅｔに対して、かつ各作用領域に対する画定可能な前記時間間隔に対して、ＥｘｔＤｅｔと、検出器を含む前記ファントムとを同時に照射し、患者なしで前記の患者特定の治療計画を使用して（以下オフラインと称する）、吸収された線量を測定することによって取得される。
【００２６】
本発明による方法を利用した例は、以下の段階により説明することができる。
・  治療計画システム（ＴＰＳ）を使用して、患者に対する個別の治療計画が作成される。ついで、例えばＣＴ，すなわちコンピュータ化した断層写真術のような診断装置を使用して、患者の解剖学的形状が画定され、治療装置の放射線特性が全体的にＴＰＳに双方とも移入された測定値によって画定される。目標とする容積および危険器官とが画定され、ついで、危険器官に対する最大線量および目標などに対する最小線量のような基準が使用される治療のための最適計画が作成される。前記計画の結果は、投影、ビーム形態、作用領域の形状およびＭＬＣ‐リーフ（ｌｅａｖｅｓ）の移動等を画定するために放射線治療機械によって使用される情報である。
・  ＴＰＳにおいて患者特定の治療計画が線量測定に適したファントムに適用され、ファントム内部での線量分布が計算される。
・  治療に先立って、計算に使用されるものと同一のオフラインの物理的ファントムが患者特定の治療を使用して照射される。ファントム内部の線量分布が測定され、線量の総和を確認し、測定値と、完全な作用領域、作用領域の細部分すなわち画分のために計画と比較する（オフラインの品質管理、すなわち事前治療認識）。更に、適当な時間あるいは強度調整した作用領域（Ｉｎｔｅｎｓｉｔｙ  Ｍｏｄｕｌａｔｉｏｎ  ｆｉｅｌｄ）での治療機械に対する同期性とによって画定された、各時間間隔に対するファントムの全ての測定点において、各作用領域に対して測定され、かつ記憶される。前述の手順は図４に示されている。
・  オフラインでのファントム内での測定と同時に、ファントム測定と同じ時間間隔を使用するか、または同調して、ファントムの表面上、あるいはファントムと治療線源との間のビームにおけるいずれかの位置における外部検出器、ＥｘｔＤｅｔを使用して、線量がまた測定される。この段階もまた、先ず検出器をファントムの内部に位置させて行い、各時間間隔に対して放射線を測定し、次いで検出器をファントムの上流側に位置させ、先行した放射状態を再現させ、それを各時間間隔に対して測定することができる。この方法により、双方の測定に対して同じ検出器を使用しうる。各ＥｘｔＤｅｔ，各作用領域および時間間隔に対して得られた読み取り値が次いでファントムにおける線量値と共に較正係数を計算するために使用される。得られた読み取り値が先ず記憶され、その後較正係数が計算されるか、あるいはそれらが直ちに計算される。較正係数は
【数１】
0005567058.tif 000002
によって計算されることが好ましい。但し、
Ｄ：  ある時間間隔の間に、既知の形状、位置および方向によってファントムにおいて測定された吸収線量
Ｓ：  ＥｘｔＤｅｔからの総和信号
ｎ：  図３におけるＥｘｔＤｅｔ３２における検出器要素
ｆ：  特定の作用領域（同一の作用領域によって画定されるビームの一投影）
ｓｅｇ：  ＥｘｔＤｅｔにおける１個の特定検出器要素ｎの陰影容積として、かつ図３に示す作用領域ｆ、３６によって画定される１個の特定の投影とにおいて表現されるファントムにおけるセグメント
ｐ：  セグメントにおいて良好に画成された点
Ｃａｌ：  較正係数
ｔ（ｉ）：  間隔ｉの開始時の時間。ｔ（０）はシーケンスの開始時間である。
ｔ（ｉ＋１）：  間隔ｉ＋１の開始時の時間。ｔ（Ｔ）はシーケンスの終了時間である。
Ｄseg-n,f,p,t(i),t(i+1)：  ＤｅｔＥｘｔの検出器要素ｎおよび時間ｔ（ｉ）からｔ（ｉ＋１）までの時間の作用領域（投影）のｆの総和によって画定されるファントムセグメントにおける点Ｐでの線量
Ｓn,f,t(i),t(i+1)：  時間ｔ（ｉ）から時間ｔ（ｉ＋１）までの作用領域ｆにおけるＥｘｔＤｅｔ検出器の要素ｎからの信号
Ｃａｌn,f,seg-n,f,p,t(i),t(i+1)：  作用領域ｆにおけるＥｘｔＤｅｔの検出器要素ｆによって使用されるべき較正係数。ＤｅｔＥｘｔの検出器要素ｎおよび時間ｔ（ｉ）からｔ（ｉ＋１）までの作用領域（投影）ｆの総和によって画定されるファントムのセグメントの点ｐにおける線量を達成するために時間ｔ（ｉ）から時間ｔ（ｉ＋１）までの信号の総和を変換する。
・  患者の治療の間、各ＥｘｔＤｅｔによる読み取り値は、
【数２】
0005567058.tif 000003
により、各時間間隔に対して前記較正係数を使用することによって、あたかも適所にあったように、ファントムにおけるそれぞれのセグメントにおける点での線量に今や変換することができる。
ファントムにおける点の各々の特定線量に対して全ての時間間隔からの読み取り値は合計されて、
【数３】
0005567058.tif 000004
によりそれぞれの各作用領域に対するその点における合計線量を提供することができる。
【００２７】
次いで、全ての作用領域から各々の特定の点までの線量は、完全な治療画分（完全な治療は数日あるいは数週に亘って提供される数個の画分から構成されている）に対する全ての点における合計線量を提供するように合計することができる。各点における合計線量は、オフラインでの確認（事前治療確認）と類似のファントムに適用されると、治療計画システムから得られる結果と直接比較することができる。
【００２８】
測定された線量の値と計算された線量の値との間の偏差は、各時間間隔に対するデータを使用し、それによって分析段階を簡素化することによって分析することができる。
【００２９】
もしも前記偏差がリーフの不正確な動きに起因したのであれば、ファントムにおける計算された線量の値は僅かに不正確であるかもしれないが、そのような場合、誤投与した治療の間の動きを擬したファントムの測定を使用することによって、正確な値を確認することができる。
【００３０】
ＥｘｔＤｅｔの位置は、ファントム、例えばＥＰＩＤあるいはレントゲン写真用フィルムの下流側の結像装置からの像を使用することによりＥｘｔＤｅｔに対して十分画定された検出器の投影あるいはマーカを使用して、ファントムの、特に患者の上の横方向平面において検出することができる。
【００３１】
検出器と対比して作用領域における患者の不正確な位置はＥＰＩＤ像に照射する検出装置にマーカ、例えば鉛シードを使用することによって可視とされる。数個の投影を使用して、患者の位置を画定することができる。
【００３２】
治療計画と、（Ｓn,f,t(i),t(i+1)）が（Ｄseg-n,f,p,t(i),t(i+1)）と比例する場合の各時間間隔においてＥｘｔＤｅｔによって同時に測定された基準信号とによるファントムにおける線量の総和の流束量確認の代替的方法が、ファントムにおける線量に直接変換可能ではないものの、治療の間の各時間間隔に対する流束量の偏差を予測することができるようにする。
【００３３】
患者の上流側の検出器、ＥｘｔＤｅｔによって流束量を測定する代替的な方法は、入力としてのＭＬＣ位置についての何らかの情報を使用して流束量を計算し、次いで、前述した方法を使用して前記流束量を較正し、例えば各時間間隔での流束量を事前処理確認の間ファントムにおいて測定された線量に対して較正することである。ファントムにおける線量のそのような検出はＥｘｔＤｅｔの使用と比較して精度および確認に限度があるが、治療の間の線量偏差をあたかも適所にあったかのようにファントムにおける線量として定量化することができるため、依然として極めて有用である。ＭＬＣリーフの位置を制御する手段が既に放射線治療装置に設けられているので、ＭＬＣ位置に関する情報は容易に得ることができる。次いで、この情報はファントム内部の測定値と比較するために使用することができる。
【００３４】
ＭＬＣ位置の情報を使用する場合、較正係数は
【数４】
0005567058.tif 000005
によって計算することができる。但し、
Ｄf,p,t(i),t(i+1)：  時間ｔ（ｉ）から時間ｔ（ｉ＋１）までの作用領域（投影）の総和ｆにおけるファントムの点ｐでの線量
Ｆn,f,t(i),t(i+1)：  時間ｔ（ｉ）から時間ｔ（ｉ＋１）までのファントムの総和において点ｐと交錯する光線に沿って患者と放射線源との間の作用領域ｆにおける放射線の流束量
Ｃａｌn,f,p,t(i),t(i+1)：  患者と放射線源との間の流束量とファントムにおける線量との間の関係を表わす較正係数
【００３５】
ファントムにおける各特定の線量点についての全ての時間間隔からの読み取り値は、
【数５】
0005567058.tif 000006
によりそれぞれの各作用領域における点での合計線量を提供するために合計することができる。
【００３６】
本発明による方法は放射線治療装置の制御および測定システムにおいて、従ってそれによって、そこで利用可能なプロセッサおよび記憶手段を使用して実行することが可能である。本発明による方法は、本発明による方法の段階を実行する中央処理装置、ＣＰＵのような必要な装置を備える専用の装置（ｓｔａｎｄ−ａｌｏｎｅ  ｕｎｉｔ）において実行しうることは勿論である。このことは、プログラムメモリに記憶されている専用のコンピュータプログラムの支援を得て実行される。コンピュータプログラムはまた、特別に適応されたコンピュータの代わりに汎用性の産業コンピュータにおいても作業しうることを理解すべきである。
【００３７】
ソフトウエアはコンピュータプログラムのコード要素あるいは等式、アルゴリズム、データおよび前述した計算を使用して、本発明の方法をコンピュータが実行するようにさせるソフトウエアのコード部分を含む。前記プログラムの一部は前述のように、プロセッサに記憶させることができるが、ＲＯＭ，ＲＡＭ，ＰＲＯＭ，あるいはＥＰＲＯＭのチップあるいはその類似のものにも記憶させることができる。前記プログラムは、部分的あるいは全体的に、ファームウエアとして例えば磁気ディスク、ＣＤ−ＲＯＭ，あるいはＤＶＤディスク、ハードディスク、磁気−光学的メモリ記憶手段、揮発性メモリ、フラッシュメモリに記憶させる、あるいはデータサーバに記憶させることも可能である。
【００３８】
本発明の前述の説明および添付図面は本発明の非限定的な例と見なすべきで、本発明の保護範囲は特許請求の範囲によって規定されることを理解すべきである。
【図１】
0005567058.tif 000009
【図２】
0005567058.tif 000010
【図３】
0005567058.tif 000011
【図４】
0005567058.tif 000012